(57)【要約】【課題】  構造が簡単でかつ遊技機本体の前側に対する球受部の深さ寸法を小さく抑えながら球が球受部の前壁を飛び越えて散乱する不具合を良好に防止することができる遊技機を提供する。【解決手段】  遊技機本体２０の後側に球払出装置２１７が設けられ、同遊技機本体２０の前側に球受皿６３を有する開閉体５０がヒンジ機構４９によって開閉可能に設けられ、遊技機本体２０と開閉体５０の相互には、球払出装置２１７から払い出された球を球受皿６３に誘導する連絡路２３０が、本体側通路２３１と開閉体側通路２４１によって分離可能に形成されている。【選択図】        図１９
2006087562.tif 000002
【特許請求の範囲】
【請求項１】
遊技機本体の後側に球払出装置が設けられ、同遊技機本体の前側に球受皿を有する開閉体がヒンジ機構によって開閉可能に設けられ、前記遊技機本体と前記開閉体の相互には、前記球払出装置から払い出された球を前記球受皿に誘導する連絡路が、本体側通路と開閉体側通路によって分離可能に形成されていることを特徴とする遊技機。
【発明の詳細な説明】
【技術分野】
【０００１】
この発明は球（パチンコ球）を用いて遊技を行う遊技機に関する。
【背景技術】
【０００２】
球を用いて遊技を行う遊技機（例えば、パチンコ機）においては、遊技機本体（例えば、前枠体、本体枠等）の後側に、所定条件のもとで球（賞球、貸球）を払い出す球払出装置が設けられている。
また、遊技機本体の前側には、球受皿（例えば、上皿）を有する開閉体（例えば、ガラス扉、前開閉板等）がヒンジ機構によって開閉可能に設けられている。
そして、遊技機本体と開閉体の相互には、球払出装置から払い出された球を球受皿に誘導する連絡路が、本体側通路と開閉体側通路によって分離可能に形成されている。
また、開閉体がヒンジ機構によって開放されたときに、本体側通路の出口から放出される球を受ける球受部が遊技機本体の前側に形成されている。
ところが、連絡路内に多くの球が存在している状態において、開閉体がヒンジ機構によって開放されると、本体側通路の出口から放出される球が球受部を飛び越えて散乱する場合がある。
このため、本体側通路の出口に対しシャッタを、その一端部において軸を中心として回動可能に組み付け、そのシャッタをバネ部材によって上向き傾斜状をなすシャッタ位置に向けて弾発することで、球がこぼれ落ちる不具合を防止することが知られている（例えば、特許文献１参照）。
また、開閉体の後側に、開閉体側通路を構成する通路筒が、本体側通路の出口に連通可能に突設される一方、遊技機本体の前側に、開閉体がヒンジ機構によって開放されたときに、本体側通路の出口から放出される球を受ける球受部が形成された構造のものが知られている（例えば、特許文献２参照）。
【特許文献１】特開２００２ー１１９７１８号公報
【特許文献２】特開２００１ー１１３００２号公報
【発明の開示】
【発明が解決しようとする課題】
【０００３】
ところで、本体側通路の出口に対し、シャッタ、軸及びバネ部材を組み付ける構造のものにおいては部品点数や組付工数が多く、コスト高となる。
また、開閉体の後側に、開閉体側通路を構成する通路筒が突設される構造のものにおいては、遊技機本体の前側に設けられた球受部の前壁の高さが、開閉体の通路筒によって制限される。すなわち、開閉体の通路筒が球受部の前壁に衝突することがない高さ位置に制限される。
このため、連絡路内に多くの球が存在している状態において、開閉体がヒンジ機構によって開放されると、本体側通路の出口から放出される球が、球受部の球受面に当たって跳ねた後、前壁を飛び越えて散乱したり、あるいは、球受部の球受面に放出された球に後続する球が当たって跳ねた後、前壁を飛び越えて散乱する場合がある。
球が球受部の前壁を飛び越えて散乱する不具合を防止するために、球受部の深さ寸法を大きくすることが考えられる。
しかしながら、遊技機本体の前側に対し深さ寸法が大きい球受部を配置するスペースを確保することができない場合がある。
【０００４】
この発明の目的は、前記問題点に鑑み、構造が簡単でかつ遊技機本体の前側に対する球受部の深さ寸法を小さく抑えながら球が球受部の前壁を飛び越えて散乱する不具合を良好に防止することができる遊技機を提供することである。
【課題を解決するための手段】
【０００５】
前記目的を達成するために、請求項１の発明に係る遊技機は、
「遊技機本体の後側に球払出装置が設けられ、同遊技機本体の前側に球受皿を有する開閉体がヒンジ機構によって開閉可能に設けられ、前記遊技機本体と前記開閉体の相互には、前記球払出装置から払い出された球を前記球受皿に誘導する連絡路が、本体側通路と開閉体側通路によって分離可能に形成された遊技機であって、
前記開閉体の後側には、前記開閉体側通路を構成する通路筒が、前記本体側通路の出口に連通可能に突設される一方、
前記遊技機本体の前側には、前記開閉体がヒンジ機構によって開放されたときに、前記本体側通路の出口から放出される球を受ける球受部が形成され、
前記球受部の前壁は、前記開閉体の通路筒の下側に接近する高さに設定され、
前記球受部の前壁には、弾性を有する球こぼれ防止シートが装着され、
前記球こぼれ防止シートは、前記開閉体が閉じられたときには、同開閉体の通路筒の下側に押圧されて弾性的に撓む一方、前記開閉体が開かれたときには、自身の弾性力によって前記前壁から所定高さまで延びる球こぼれ防止姿勢に起立される構成にしてあることを特徴とする遊技機。」
を要旨とするものである。
【０００６】
前記構成において、開閉体がヒンジ機構のヒンジ中心を支点として閉じられると、球こぼれ防止シートは、開閉体の後側に突設された通路筒の下側に押圧されて弾性的に撓むとともに、開閉体の通路筒が本体側通路の出口に連通し、これによって連絡路が連通状態となる。
この状態において、球払出装置から払い出された球が連絡路を経て開閉体の球受皿に流れる。
開閉体がヒンジ機構のヒンジ中心を支点として開かれると、球こぼれ防止シートは、自身の弾性力によって球受部の前壁から所定高さまで延びる球こぼれ防止姿勢に起立される。
このため、本体側通路の出口から放出される球が、球受部の球受面に当たって跳ねた後、前壁を飛び越えて散乱したり、あるいは、球受部の球受面に放出された球に後続する球が当たって跳ねた後、前壁を飛び越えて散乱する不具合が防止される。
前記したように、球受部の前壁に、弾性を有する球こぼれ防止シートを装着するという極めて簡単な構造によって、球の飛散を防止することができる。
しかも、球こぼれ防止シートは、自身の弾性力によって球受部の前壁から所定高さまで延びる球こぼれ防止姿勢に起立される構造上、遊技機本体の前側に対する球受部の深さ寸法を小さく抑えながら球が球受部の前壁を飛び越えて散乱する不具合を良好に防止することができる。
【０００７】
請求項２の発明に係る遊技機は、
「請求項１に記載の遊技機であって、
球こぼれ防止シートは、球受部の前壁の後面に装着されていることを特徴とする遊技機。」
を要旨とするものである。
【０００８】
前記構成において、球受部の前壁の後面に球こぼれ防止シートが装着されることで、球こぼれ防止姿勢に起立された球こぼれ防止シートは、球受部の前壁の後面を支持面として支持される。
このため、球受部の前壁の前面に球こぼれ防止シートが装着される場合と比べ、本体側通路の出口から球受部に放出される球の荷重によって球こぼれ防止シートが前方に向けて変形されることを軽減することができる。ひいては、本体側通路の出口から球受部に放出される球を良好に受け止めることができる。
【０００９】
請求項３の発明に係る遊技機は、
「請求項２に記載の遊技機であって、
球こぼれ防止シートは、球受部の前壁の後面に略下半部が接した状態でかつその下部が固定手段によって固定されていることを特徴とする遊技機。」
を要旨とするものである。
【００１０】
前記構成において、球こぼれ防止シートは、球受部の前壁の後面に略下半部が接した状態でかつその下部が固定手段によって固定されるため、球受部の前壁の後方には弾性的に撓みやくす、球受部の前壁の前方には撓み難くなる。
このため、開閉体が閉じられかつ同開閉体の通路筒の下側に押圧されることによって、球こぼれ防止シートが円滑に弾性変形して撓むため、球こぼれ防止シートが固定手段から不測に外れたり、あるいは、開閉体の通路筒によって損傷されることを防止することができ、耐久性に優れる。
【００１１】
請求項４の発明に係る遊技機は、
「請求項１〜３に記載の遊技機であって、
球こぼれ防止シートは、弾性を有する合成樹脂シート材によって形成されていることを特徴とする遊技機。」
を要旨とするものである。
【００１２】
前記構成において、弾性を有する合成樹脂シート材によって球こぼれ防止シートを容易にかつ安価に形成することができる。
【発明の効果】
【００１３】
この発明によれば、球受部の前壁に、弾性を有する球こぼれ防止シートを装着するという極めて簡単な構造によって、球の飛散を防止することができる。
しかも、球こぼれ防止シートは、自身の弾性力によって球受部の前壁から所定高さまで延びる球こぼれ防止姿勢に起立される構造上、遊技機本体の前側に対する球受部の深さ寸法を小さく抑えながら球が球受部の前壁を飛び越えて散乱する不具合を良好に防止することができる。ひいては、遊技機本体の前側に対する球受部の配置スペースの確保が容易となる。
【発明を実施するための最良の形態】
【００１４】
次に、この発明を実施するための最良の形態を実施例にしたがって説明する。
【実施例】
【００１５】
図１は遊技機の外枠の一側に本体枠が開かれその本体枠の一側にガラス扉が開かれた状態を示す斜視図である。図２は遊技機の前側全体を示す正面図である。図３は遊技機を斜め右上前方から示す斜視図である。図４は遊技機の後側全体を示す背面図である。図５は遊技機の本体枠の後側に各種部材が組み付けられた状態を斜め左下後方から示す斜視図である。図６は遊技機の本体枠と遊技盤とを分離して示す斜視図である。図７は遊技盤の後側下部の基板ボックス装着台に副制御基板ボックスと主制御基板ボックスとが装着された状態を示す側断面図である。図８は基板ボックス装着台と副制御基板ボックス及び主制御基板ボックスが分離された状態を後方から示す斜視図である。図９は基板ボックス装着台を前側から示す斜視図である。図１０は基板ボックス装着台と仕切板とが分離された状態を前側から示す斜視図である。図１１は基板ボックス装着台に対し仕切板がその一端の係止突片と他端の弾性係止片によって装着された状態を示す平断面図である。図１２は仕切板の弾性係止片が基板ボックス装着台の係止部に係合された状態を後側から示す背面図である。図１３は仕切板の弾性係止片を示す斜視図である。図１４は本体枠の遊技盤装着枠の後下隅部に設けられた回路基板装着部に対しカバー体が取り外された状態を示す斜視図である。図１５は回路基板装着部、回路基板及びカバー体が分離された状態を後方から示す斜視図である。図１６は回路基板装着部、回路基板及びカバー体が分離された状態を前方から示す斜視図である。図１７は回路基板装着部に回路基板が装着されカバー体によって覆われた状態を示す側断面図である。図１８は球払出装置と上皿及び下皿を連通する通路構成部材を破断して後方から示す説明図である。図１９は本体枠の前側に開口したスピーカボックスに対しスピーカが取り外された状態を示す斜視図である。図２０は球払出装置と上皿を連通する上皿用連絡路を示す側断面図である。図２１は上皿用連絡路の本体側通路の出口の近傍に設けられた球受部と球こぼれ防止シートを示す斜視図である。図２２は上皿用連絡路の本体側通路の出口の近傍に設けられた球受部と下皿誘導路の関係を示す正断面図である。図２３はスピーカ装着部材の上縁張出部を球受部の前壁として球こぼれ防止シートが装着された状態を示す斜視図である。図２４は球受部の前壁に球こぼれ防止シートが装着された状態を示す平断面図である。図２５は球受部の前壁に球こぼれ防止シートが装着された状態を示す側断面図である。図２６は球受部の前壁に対し球こぼれ防止シートが分離された状態を示す斜視図である。なお、説明の便宜上、遊技機において遊技者側を前、反対側を後として説明する。
【００１６】
［遊技機の概要について］
図１〜図６に示すように、遊技機としてのパチンコ機は、外枠１０、本体枠２０、遊技盤８０、ガラス扉５０等を備えて構成されている。
外枠１０は、上下左右の枠材によって縦長四角形の枠状に形成され、同外枠１０の前側下部には、本体枠２０の下面を受ける下受板１５を有している。
外枠１０の前面の片側には、本体枠開閉用ヒンジ機構１９によって本体枠２０が前方に開閉可能に装着されている。
【００１７】
［本体枠について］
図１、図５及び図６に示すように、遊技機本体としての本体枠２０は、前枠２１、遊技盤装着枠２２及び機構装着体２３を合成樹脂材によって一体成形することで構成されている。
本体枠２０の前側に形成された前枠２１は、外枠１０の前側の下受板１５を除く外郭形状に対応する大きさの矩形枠状に形成されている。
また、図６に示すように、前枠２１の中央部には遊技盤装着枠２２が形成され、その遊技盤装着枠２２の後側に機構装着体２３が形成されている。
【００１８】
［本体枠の前枠体の前側下部の装備品について］
図１と図６に示すように、本体枠２０の前枠２１前面の下部領域の上側部分には、遊技盤８０の発射通路に向けて球を導く発射レール３０が傾斜状に装着され、下部領域の下側部分には、下前面部材３１が装着されている。この下前面部材３１の前面略中央部には、下皿３２が設けられ、片側（図１に向かって右側）寄りには操作ハンドル３３が設けられている。
【００１９】
［本体枠のスピーカボックスについて］
図６と図１９に示すように、本体枠２０の前枠２１の前側において、遊技盤装着枠２２よりも下方に位置する前枠２１の下部領域の一側（図１９では左側）寄りには、本体枠２０を合成樹脂材によって形成すると同時にスピーカボックス２５が一体に形成されている。
スピーカボックス２５は、前方に開口し後側（奥側）が後壁によって塞がれた箱形状に形成されている。そして、スピーカボックス２５の前側開口部には、遊技に関連して演出音を発するスピーカ４１がスピーカ装着体（スピーカカバー）４０によって装着されている。
【００２０】
［ガラス扉について］
図１〜図３に示すように、本体枠２０の前枠２１の前面の片側には、その前枠２１の上端から下前面部材３１の上縁にわたる部分を覆うようにしてガラス扉５０が扉開閉用ヒンジ機構４９によって前方に開閉可能に装着されている。ガラス扉５０のヒンジ機構４９と反対側に自由端側の後側には、施錠装置７０の扉施錠フック７２に係脱可能に係合してガラス扉５０を閉じ状態に施錠する閉止具５６が設けられている。
【００２１】
図１〜図３に示すように、ガラス扉５０の略中央部には、遊技盤８０の遊技領域８２を前方から透視可能な略円形の開口窓５２が形成されている。また、ガラス扉５０の後側には開口窓５２よりも大きな矩形枠状をなす窓枠５３が設けられ、その窓枠５３には、ガラス板、透明樹脂板等より形成される窓板５５が装着されている。
また、図２と図３に示すように、ガラス扉５０の前側の上部には上部音響電飾装置５７が配設され左右両側部にはサイド電飾装置５８が配設されている。これによってガラス扉５０の前面の略全体が電飾されるようになっている。
図３に示すように、ガラス扉５０の前側下部には、上皿取付基板６０によって上皿６３が設けられている。また、上皿取付基板６０には、上皿放出口６１を形成する上皿放出筒６２が一体に形成されている。
【００２２】
［施錠装置について］
図１と図５に示すように、前枠２１のヒンジ機構と反対側に自由端側の後側には、外枠１０に対し本体枠２０を施錠する機能と、本体枠２０に対しガラス扉５０を施錠する機能とを兼ね備えた施錠装置７０が装着されている。
すなわち、施錠装置７０は、外枠１０に設けられた閉止具１７に係脱可能に係合して本体枠２０を閉じ状態に施錠する上下複数の本体枠施錠フック７１と、ガラス扉５０の自由端側の後側に設けられた閉止具５６に係脱可能に係合してガラス扉５０を閉じ状態に施錠する上下複数の扉施錠フック７２とを備えている。また、扉施錠フック７２は、前枠２１を貫通してその前枠２１から前方に向けて突出され、ガラス扉５０後側の閉止具５６に係脱可能に臨んでいる。
【００２３】
また、施錠装置７０はシリンダー錠７３を備え、そのシリンダー錠７３の前端部は、遊技機の前方から鍵を挿入されて解錠操作可能に、前枠２１及び下前面部材３１を貫通してその下前面部材３１の前面に露出されている（図２参照）。
そして、シリンダー錠７３の鍵穴に鍵が挿入されて一方向に回動操作されることで本体枠施錠フック７１と外枠１０の閉止具１７との係合が外れて本体枠２０が解錠され、これとは逆方向に回動操作されることで、扉施錠フック７２とガラス扉５０の閉止具５６との係合が外れてガラス扉５０が解錠されるようになっている。
【００２４】
［本体枠の遊技盤装着枠と遊技盤について］
図１と図６に示すように、本体枠２０の遊技盤装着枠２２は、前枠２１の中央部後側に設けられかつ遊技盤８０が前方から着脱交換可能に嵌込まれ適宜の固定手段によって取付られるようになっている。
図１と図６に示すように、遊技盤８０は、遊技盤装着枠２２の前方から嵌込まれる大きさの略四角板状に形成されている。遊技盤８０の盤面（前面）には、外レールと内レールとを備えた案内レール８１が設けられ、その案内レール８１の内側に遊技領域８２が区画形成されている。
【００２５】
図１に示すように、遊技盤８０には、その遊技領域８２内において、遊技に関する役物装置、例えば、センタ役物と呼ばれる役物装置８３、入賞装置、風車器、誘導釘、ランプ装飾部材等の各種の装備品が配設されている。
また、役物装置８３の役物本体８４には、その略中央部に開口窓が形成され、役物本体８４の後側には、その開口窓に臨んで図柄表示装置（例えば、液晶表示器、ＥＬ表示器，プラズマ表示器，ＣＲＴ等）８５が装着されている。
また、図６に示すように、図柄表示装置８５の後側には、図柄制御基板８７が収納された図柄制御基板ボックス８６が装着されている。
【００２６】
［遊技盤の後側の基板ボックス装着台について］
図６に示すように、遊技盤８０の後面の左右両側部には、各種入賞口に流入した球を誘導下方の集合樋に誘導する賞球誘導樋８８が装着されている。
また、遊技盤８０の後側下部には、左右の両賞球誘導樋８８に誘導された球を集合して所定位置まで導く集合樋としての機能とボックス装着部としての機能を兼ね備えた合成樹脂製の基板ボックス装着台１００が設けられている。
【００２７】
図９と図１０に示すように、基板ボックス装着台１００は、その左右両側部に取付基部１０１、１０２を備え、これら両取付基部１０１、１０２に跨って後壁１０５が一体に形成されている。
基板ボックス装着台１００の取付基部１０１、１０２の前側には、遊技盤８０の後面に凹設された取付凹部に圧入されかつ中心部にビスが挿通される複数のボス部１０１ａ、１０２ａが一体に形成されている。そして、基板ボックス装着台１００は、その各ボス部１０１ａ、１０２ａが遊技盤８０の後面の取付凹部に圧入された後、ビスが各ボス部１０１ａ、１０２ａに挿通されて遊技盤８０に締め付けられることによって遊技盤８０の後面に装着されるようになっている。
【００２８】
図１０に示すように、基板ボックス装着台１００の後壁１０５の前面（内面）には、左右の賞球誘導樋８８の下端開口部から流出した左右の球Ｂを下部中央に導く第１傾斜路１０６を構成する第１傾斜板１０６ａと、第２傾斜路１０７を構成する第２傾斜板１０７ａとがそれぞれ中央部に向けて下傾する傾斜状に突設されている。さらに、第１傾斜板１０６ａと第２傾斜板１０７ａとの下傾端には球Ｂを機外に排出する球排出路（球排出樋）に導く排出口１０８が形成されている。
この実施例において、第１傾斜板１０６ａの下傾端は、第２傾斜板１０７ａの下傾端よりも高い位置に設定されており、第１傾斜板１０６ａの下傾端には、第２傾斜板１０７ａの下傾端との間に排出口１０８を形成する折返し部１０６ｂが形成されている。そして、第１傾斜板１０６ａの下傾端から落下した球Ｂが、一旦、第２傾斜板１０７ａの下傾端近傍に受けられた後、排出口１０８に向けて流れ、これによって排出口１０８近傍において球詰まり発生することが防止されるようになっている。すなわち、第１傾斜路１０６と第２傾斜路１０７との下傾端が略同一高さ位置に設定されると、これら第１傾斜路１０６と第２傾斜路１０７との下傾端に球が略同時に達すると、ブリッジ現象等によって球詰まりが発生し易くなるが、前記したように構成することで球詰まりが防止されるようになっている。
【００２９】
図７、図９及び図１０に示すように、基板ボックス装着台１００の前側には、第１傾斜路１０６及び第２傾斜路１０７の前壁をなす機能と、遊技盤８０の遊技領域８２の下端に設けられたアウト口８０ａに連通して遊技盤８０の後面にルータ加工等によって凹設された溝部８０ｂと協働してアウト球排出路を構成する機能（アウト球排出路の後壁）とを兼ね備えた横長の仕切板１３０が装着されている。
この実施例において、図９〜図１１に示すように、仕切板１３０の長手方向の一端部には、基板ボックス装着台１００の一方の取付基部１０１の近傍に形成された上下の両差込部１１０に差し込まれて係止される上下の両係止突片１３１が突設されている。
【００３０】
図１０〜図１３に示すように、仕切板１３０の長手方向の他端部近傍には、基板ボックス装着台１００の第１傾斜板１０６ａの下傾寄りの下方に前方に向けて突設された上下の両係止体１１１に弾性的に係合する上下の両弾性係止片１３３が形成されている。
図１２と図１３に示すように、仕切板１３０の両弾性係止片１３３は、仕切板１３０の一部に略Ｃ字状の切込孔１３２が形成されることによって仕切板１３０と一体に形成されるとともに、一端が仕切板１３０に連結された状態で横方向に延びている。そして、両弾性係止片１３３は一端部を支点として上下方向に弾性変形可能でその各延出端の上部あるいは下部には、基板ボックス装着台１００の両係止体１１１に凹設された係止部に係合する係止爪１３４が突設されている。
【００３１】
すなわち、仕切板１３０は、その一端側を後、他端側を前になるように斜めにした状態でその一端側の両係止突片１３１が、基板ボックス装着台１００の上下の両差込部１１０に差し込まれた後、当該係合部を支点として基板ボックス装着台１００に向けて回動されることによって、他端側の両弾性係止片１３３が上下方向に弾性変形されながら、これら両弾性係止片１３３の係止爪１３４が基板ボックス装着台１００の両係止体１１１の係止部に係合し、これによって、基板ボックス装着台１００の前側に仕切板１３０が装着されるようになっている。
このようにして、基板ボックス装着台１００の前側に仕切板１３０が装着されることで、仕切板１３０の装着時に同仕切板１３０自体が撓み変形することなく容易に装着される。
【００３２】
この実施例において、図１０と図１１に示すように、仕切板１３０の前面には、磁気検出器１３６を取り囲むようにして保持部１３５が形成され、その保持部１３５内に磁気検出器１３６が嵌込まれ、保持部１３５に一体状に形成された係止爪等の係止手段によって抜け止めされて装着されている。
前記したように、仕切板１３０に対し磁気検出器１３６等の部品が装着された状態であっても、仕切板１３０の装着時に、同仕切板１３０自体が撓み変形することなく容易に装着することができるため、仕切板１３０の撓みによって磁気検出器１３６が保持部１３５から不測に抜け出て外れる不具合や、あるいは、仕切板１３０の撓みが磁気検出器１３６に伝達されて磁気検出器１３６が損傷される不具合等を防止することができる。
【００３３】
図８に示すように、基板ボックス装着台１００の両取付基部１０１、１０２の後側には、ボックス装着部１２０が一体に形成されている。そして、ボックス装着部１２０の一側には、上下のヒンジ部（例えば、ヒンジ孔）１２２が形成され、他側には閉止部１２５が形成されている。そして、ボックス装着部１２０の後側には、副制御基板ボックス１４０が、その一側に形成されたヒンジ部（例えば、ヒンジピン）１４２において、ボックス装着部１２０のヒンジ部１２２に上方から挿脱可能に嵌挿された後、同副制御基板ボックス１４０がボックス装着部１２０に沿う閉じ状態まで回動されることで、副制御基板ボックス１４０の他側に形成された弾性係止片（図示しない）が、ボックス装着部１２０の閉止部１２５に弾性的に係合され、これによって、ボックス装着部１２０に対し副制御基板ボックス１４０が着脱可能に装着されるようになっている。
【００３４】
図７と図８に示すように、副制御基板ボックス１４０の後側には、主制御基板ボックス１５０が重ね合わされた状態で着脱可能に装着されている。
副制御基板ボックス１４０に対する主制御基板ボックス１５０の装着構造は、ボックス装着部１２０に対する副制御基板ボックス１４０の装着構造と同様にして、ヒンジ手段と閉止手段によって着脱可能に装着されている。
さらに、図６に示すように、遊技盤８０の後側に対し基板ボックス装着台１００、副制御基板ボックス１４０及び主制御基板ボックス１５０がそれぞれ装着された状態において、本体枠２０の遊技盤装着枠２２の前方からその遊技盤装着枠２２内に遊技盤８０を嵌込んで装着できるように、遊技盤８０の外郭より外側にはみ出すことなく基板ボックス装着台１００、副制御基板ボックス１４０及び主制御基板ボックス１５０が配置されている。
【００３５】
図７に示すように、副制御基板ボックス１４０には、副制御基板１４１が収納され、主制御基板ボックス１５０には主制御基板１５１が収納されている。主制御基板１５１は遊技の進行を制御し、副制御基板１４１は周辺機器を制御する。すなわち、主制御基板１５１からの遊技に関する信号を受けた副制御基板１４１は、図柄制御基板８７を介して図柄表示装置８５に表示を行う。
また、図柄制御基板８７は、遊技用信号を表示用信号に変換して図柄表示装置８５に伝達する。図柄表示装置８５は大当たりの抽選図柄が変動表示可能となっている。
また、この実施例において、図１０と図２０に示すように、基板ボックス装着台１００の下隅部（図に向かって左隅部）には、後述する上皿用連絡路２３０のうち、本体側通路２３１を構成する本体側通路筒２３２が一体に形成されている。
【００３６】
［本体枠の前枠体の後側下部の装備品について］
図５に示すように、前枠２１の後側において、遊技盤装着枠２２よりも下方に位置する前枠２１の後下部領域の片側（図５に向かって左側）には、発射レール３０の下傾端部の発射位置に送られた球を発射するための発射ハンマー２０５が装着されるとともに、その発射ハンマー２０５を作動する発射モータ２０６が装着されている。
また、図５に示すように、前枠２１の後下部領域の略中央部には、電源基板２１１を有する電源基板ボックス２１０が装着され、その電源基板ボックス２１０後側に重ね合わされた状態で払出制御基板２１３を有する払出制御基板ボックス２１２が装着されている。
【００３７】
［遊技盤装着枠の後下隅部の回路基板装着部について］
図５と図１４に示すように、本体枠２０の遊技盤装着枠２２の後下隅部、図１４に向かって左下隅部には、後方に開口する薄箱状の回路基板装着部１６０が一体に形成されている。そして、回路基板装着部１６０には、回路基板１７０が装着され、カバー体１９０によって覆われている。
この実施例において、回路基板１７０は、電源中継基板を構成するものであり、その回路基板１７０の一面の上部、中間部及び下部には、第１〜第３の基板コネクタ１７１、１７２、１７３が配設されている。
【００３８】
回路基板１７０の上部の第１基板コネクタ１７１には、副制御基板１４１に対する第１接続線１８０の端末コネクタ１８１が接続され、中間部の第２基板コネクタ１７２には払出制御基板２１３に対する第２接続線１８２の端末コネクタ１８３が接続され、下部の第３基板コネクタ１７３には電源基板２１１に対する第３接続線１８４の端末コネクタ１８５が接続されるようになっている。そして、電源基板２１１の電源（例えば、＋１２Ｖ、＋３４Ｖ等の電源）が回路基板１７０を介して副制御基板１４１及び払出制御基板２１３に供給されるようになっている。
【００３９】
図１４〜図１７に示すように、薄箱状をなす回路基板装着部１６０の内側壁部１６２には、第１接続線１８０が挿通される切り欠き状の接続線挿通部１６３が形成され、下壁部１６４には、第２及び第３第１接続線１８２、１８４が挿通される切り欠き状の接続線挿通部１６５が形成されている。
回路基板装着部１６０の後方開口部には、回路基板１７０、第１〜第３の基板コネクタ１７１、１７２、１７３及びこれら第１〜第３の基板コネクタ１７１、１７２、１７３に差し込まれる第１〜第３接続線（電源線）１８０、１８２、１８４の端末コネクタ１８１、１８３、１８５を覆うカバー体１９０が着脱可能に装着されている。
この実施例において、カバー体１９０は、蓋板１９１と周壁１９２とを備えるとともに、回路基板装着部１６０の箱内に嵌込まれる大きさに形成されている。
また、カバー体１９０の周壁部１９２の内側壁部１９３には、回路基板装着部１６０の接続線挿通部１６３に対応する切り欠き状の接続線挿通部１９４が形成され、下壁部１９５には、回路基板装着部１６０の接続線挿通部１６５に対応する切り欠き状の接続線挿通部１９６が形成されている。
【００４０】
図１６と図１７に示すように、カバー体１９０の周壁１９２の上壁部１９２ａには、回路基板装着部１６０の上壁部１６１の略中間高さ位置に形成された係止孔１６６に差し込まれて係合する係止片２００が形成され、カバー体１９０の下部には、回路基板装着部１６０の下部に形成された係止凹部１６７に差し込まれる略Ｖ字状の弾性係止体２０１が一体に形成されている。
そして、カバー体１９０の係止片２００が回路基板装着部１６０の係止孔１６６に差し込まれた後、同カバー体１９０の弾性係止体２０１が回路基板装着部１６０の係止凹部１６７に差し込まれることで、その係止凹部１６７の開口部に形成された閉止爪１６８に弾性係止体２０１の先端の係合部２０２が係合する。これによって、回路基板装着部１６０の箱内にカバー体１９０が嵌込まれて取り付けられるようになっている。
また、弾性係止体２０１の先端には、同弾性係止体２０１を弾性変形させて閉止爪１６８と係合部２０２との係合を外す操作部２０３が一体に形成されている。
また、この実施例において、カバー体１９０の外側壁部１９７には、各種の接続線を係止して配線用の係止片１９８が一体に形成されている。
【００４１】
すなわち、この実施例では、電源基板２１１、副制御基板１４１及び払出制御基板２１３に対し比較的近距離に位置する遊技盤装着枠２２の後下隅部に電源中継基板を構成する回路基板１７０を配置し、この回路基板１７０を中継して、比較的短い第１〜第３接続線（電源線）１８０、１８２、１８４を用いて電源基板２１１の電源を副制御基板１４１及び払出制御基板２１３に供給することが可能となる。
このようにして、ノイズ発生の原因となりやすい第１〜第３接続線（電源線）１８０、１８２、１８４を短い接続線を用い、狭い領域内において整理して配線することができる。このため、遊技機の後側に数多く配線される各種信号線に対する悪影響を防止することができる。
また、回路基板１７０の第１〜第３の基板コネクタ１７１、１７２、１７３に接続される第１〜第３接続線１８０、１８２、１８４の端末コネクタ１８１、１８３、１８５をカバー体１９０によって覆い、かつ保護することができるとともに、第１〜第３接続線１８０、１８２、１８４の端末コネクタ１８１、１８３、１８５を抜け止めすることができる。
【００４２】
［本体枠の機構装着体の装備品について］
図４と図５に示すように、本体枠２０の機構装着体２３の上部後側には、島設備から供給される多数の球が貯留可能な球タンク２１５と、その球タンク２１５の下方に連通するタンクレール２１６とが配設されている。
また、本体枠２０の機構装着体２３の片側（図４に向かって右側）寄りの上下方向には、球通路、球払出用回転体、球払出モータ等を備えてユニット化された球払出装置２１７が装着されている。
【００４３】
図１８に示すように、本体枠２０の機構装着体２３には、球払出装置２１７の下端に隣接して通路構成部材２２０が装着されている。
通路構成部材２２０には、球払出装置２１７の賞球及び貸球用球通路の出口から流出した球を上皿６３あるいは下皿３２に導くための球払出通路２２１が形成されている。
球払出通路２２１の下流には、所定量の球を貯留可能な球貯留部２２２と、その球貯留部２２２に払い出された球を上皿６３に導く上皿用連絡路２３０が順に形成されている。
また、通路構成部材２２０には、球貯留部２２２の片側に位置して仕切壁２２５が形成され、その仕切壁２２５を隔てて下皿用連絡路２２６の下皿用連絡口２２６ａが形成されている。そして、上皿６３、上皿用連絡路２３０及び球貯留部２２２の球が満杯状態となり、仕切壁２２５から球が溢れると、その球が下皿用連絡口２２６ａを通して下皿用連絡路２２６に流れるようになっている。
【００４４】
なお、下皿用連絡路２２６は、通路構成部材２２０の下端に隣接して配置された誘導カバー体２２７に形成されている。この誘導カバー体２２７内には、下皿用連絡路２２６の球が満タン状態となったときにその球の荷重によって作動される満タン作動体２２８と、その満タン作動体２２８の作動を検出してその検出信号を制御基板（例えば、払出制御基板２１３）に伝達して報知する満タン検出器（図示しない）が配設されている。
【００４５】
［本体枠とガラス扉との間の上皿用連絡路について］
図２０と図２１に示すように、前記した上皿用連絡路（この発明の連絡路に相当する）２３０は、本体側通路２３１と、ガラス扉側通路（この発明の開閉体側通路に相当する）２４０によって分離可能に形成されている。
図９と図２０に示すように、本体側通路２３１は、前記した基板ボックス装着台１００の下隅部（図９に向かって左隅部）に一体に形成された本体側通路筒２３２によって形成されている。そして、本体枠２０の遊技盤装着枠２２に遊技盤８０が嵌込まれて装着されることによって、本体側通路筒２３２の後端が、通路構成部材２２０の球貯留部２２２の出口に接近して臨み、これによって本体側通路２３１が球貯留部２２２によって球払出通路２２１に連通されるようになっている。
【００４６】
一方、図２０と図２１に示すように、ガラス扉（この発明の開閉体に相当する）５０の後側には、上皿取付基板６０に形成された上皿放出筒６２の上皿放出口６１と連通してガラス扉側通路２４０を構成するガラス扉側通路筒２４１が、その取付フランジ２４２においてビス等の取付手段によって取り付けられている。そして、ガラス扉側通路筒２４１は、ガラス扉５０の後面から後方に向けて所定長さだけ突出している。
【００４７】
図２０に示すように、ガラス扉５０が閉じられた状態にあるときには、ガラス扉側通路筒２４１の後端が、本体側通路筒２３２の前端に接近して臨み、これによって上皿用連絡路２３０が連通状に構成されるようになっている。
また、球払出通路２２１の出口に相当する球貯留部２２２、上皿用連絡路２３０の本体側通路２３１、ガラス扉側通路２４０及び上皿放出口６１の各底面は、球が自重によって円滑に流れるように後側が高く前側が低い傾斜面をなして連続している。
【００４８】
［球こぼれ防止用の球受部及び球こぼれ防止シートについて］
図１９〜図２２に示すように、本体枠２０の前枠２１の前側には、ガラス扉５０が扉開閉用ヒンジ機構４９によって開放されたときに、本体側通路２３１の出口から放出される球を受ける球受部２５０が形成されている。
図１９と図２２に示すように、球受部２５０は、その外側が高く内側が低い傾斜面をなす球受面２５０ａと、その球受面２５０ａの前後左右を囲む前壁２５１、後壁２５４、外側壁２５５及び内側壁２５６を備え、内壁部２５６には、球を下皿誘導路２６０に向けて放出する流出口２５８が形成されている。
【００４９】
この実施例において、図１９と図２０に示すように、球受部２５０の球受面２５０ａは、スピーカボックス２５の上壁面によって構成され、前壁２５１は、スピーカ装着体４０の前側上端から垂直状に一体に突出された上縁張出部によって形成されている。
また、球受部２５０の前壁２５１は、ガラス扉５０のガラス扉側通路筒２４１に衝突することがないように、そのガラス扉側通路筒２４１の下側に接近する高さに設定されている。
【００５０】
図１９〜図２１に示すように、球受部２５０の前壁２５１には、弾性を有する部材、例えば、軟質の塩化ビニール樹脂材によって形成された球こぼれ防止シート２８０が装着されている。
球こぼれ防止シート２８０は、図２０に示すように、ガラス扉５０が閉じられたときには、同ガラス扉５０のガラス扉側通路筒２４１の下側に押圧されて弾性的に撓む一方、図２１に示すように、ガラス扉５０が開かれたときには、自身の弾性力によって前壁２５１から所定高さまで延びる球こぼれ防止姿勢に起立されるように構成されている。
特に、この実施例において、球こぼれ防止シート２８０は、弾性を有する横長四角板状の合成樹脂シート材によって形成されるとともに、球受部２５０の前壁２５１の後面に装着されている。
【００５１】
図２３〜図２６に示すように、球こぼれ防止シート２８０は、球受部２５０の前壁２５１の後面に略下半部が接した状態でかつその下部が複数の取付ねじ２９０と複数の係止ピン２９１を備えた固定手段によって固定されている。
すなわち、この実施例において、横長の球こぼれ防止シート２８０は、その長手方向の両端部近傍に貫設された取付孔を通して２本の取付ねじ２９０が前壁２５１の取付ボス２５２にねじ込まれるとともに、両取付孔の間に横方向に所定間隔を隔てて貫設された係止孔２８３に、前壁２５１の後面に突設された係止ピン２９１が圧入されることで、球受部２５０の前壁２５１の後面に略下半部が接した状態で横長の球こぼれ防止シート２８０が安定よく取り付けられるようになっている。
【００５２】
［球受部と下皿を連通する下皿誘導路について］
図２１と図２２に示すように、本体枠２０の前枠２１の前側には、球受部２５０の流出口２５８から落下した球を下皿３２に導くための下皿誘導路２６０が形成されている。
図２２に示すように、下皿誘導路２６０は、球受部２５０の流出口２５８の直下に形成された立ち壁２６１と、横通路部２６５を形成する横傾斜板２６５ａと、その横通路部２６５の端部に連通して形成された落下路２７０とを備え、その落下路２７０の出口が前記した下皿用連絡路２２６に連通し、これによって、下皿誘導路２６０の球が下皿３２に導かれるようになっている。
また、この実施例において、立ち壁２６１の中間高さ位置には断面円弧状なす中間球受部２６２が突設されており、これによって、球受部２５０の流出口２５８から落下する球の衝撃を緩和するようになっている。
【００５３】
［この実施例に係る遊技機の作用効果について］
この実施例に係る遊技機は上述したように構成される。
したがって、ガラス扉５０が扉開閉用ヒンジ機構４９のヒンジ中心を支点として閉じられると、図２０に示すように、球こぼれ防止シート２８０は、ガラス扉５０の後側に突設されたガラス扉側通路筒２４１の下側に押圧されて弾性的に撓むとともに、ガラス扉５０のガラス扉側通路筒２４１の後端が本体側通路筒２３２の前端に接近し、これによって上皿用連絡路２３０が連通状態となる。
【００５４】
また、遊技機に隣接して設置される球貸機（図示しない）から送られる球貸の信号、あるいは、遊技盤８０に装着された各種入賞口に流入した球の検出信号等によって球払出装置２１７の球払出モータ（図示しない）が作動される。そして、その球払出モータによって球払出用回転体（図示しない）が所定方向に回転されることで、前記各信号に基づく所定数の球が球払出装置２１７の賞球及び貸球用球通路の出口から球払出通路２２１に払い出される。球払出通路２２１に払い出された球Ｂは、球払出通路２２１の出口としての球貯留部２２２、上皿用連絡路２３０及び上皿放出口６１を通して上皿６３に払い出される。
【００５５】
図２１に示すように、ガラス扉５０が扉開閉用ヒンジ機構４９のヒンジ中心を支点として開かれると、球こぼれ防止シート２８０は、自身の弾性力によって球受部２５０の前壁２５１から所定高さまで延びる球こぼれ防止姿勢に起立される。
このため、本体側通路２３１の出口から放出される球Ｂが、球受部２５０の底面の球受面２５０ａに当たって跳ねた後、前壁２５１を飛び越えて散乱したり、あるいは、球受部２５０の球受面２５０ａに放出された球Ｂに後続する球Ｂが当たって跳ねた後、前壁２５１を飛び越えて散乱する不具合が防止される。
【００５６】
前記したように、球受部２５０の前壁２５１に、弾性を有する球こぼれ防止シート２８０を装着するという極めて簡単な構造によって、球Ｂの飛散を防止することができる。
しかも、球こぼれ防止シート２８０は、自身の弾性力によって球受部２５０の前壁２５１から所定高さまで延びる球こぼれ防止姿勢に起立される構造上、本体枠２０の前枠２１の前側に対する球受部２５０の深さ寸法を小さく抑えながら球Ｂが球受部２５０の前壁２５１を飛び越えて散乱する不具合を良好に防止することができる。
この結果、本体枠２０の前枠２１の前側に対する球受部２５０の配置スペースの確保が容易となる。
【００５７】
この実施例においては、球受部２５０の底面の球受面２５０ａを上壁面として、容量の大きいスピーカボックス２５を形成することができる。
言い換えると、球受部２５０の深さ寸法を大きく設定すると、この分だけスピーカボックス２５が小さくなり、音響効果が低下するが、前記したように、球受部２５０の深さ寸法を小さく抑えことによって、音響効果に優れるスピーカボックス２５を構成することが可能となる。
【００５８】
また、この実施例において、図２１と図２５に示すように、球受部２５０の前壁２５１の後面に球こぼれ防止シート２８０が装着されることで、球こぼれ防止姿勢に起立された球こぼれ防止シート２８０は、球受部２５０の前壁２５１の後面を支持面として支持される。
このため、球受部２５０の前壁２５１の前面に球こぼれ防止シート２８０が装着される場合と比べ、本体側通路２３１の出口から球受部２５０に放出される球Ｂの荷重によって球こぼれ防止シートが前方に向けて変形されることを軽減することができる。ひいては、本体側通路２３１の出口から球受部２５０に放出される球を良好に受け止めることができる。
【００５９】
また、この実施例において、球こぼれ防止シート２８０は、球受部２５０の前壁２５１の後面に略下半部が接した状態でかつその下部が複数の取付ねじ２９０と複数の係止ピン２９１を備えた固定手段によって固定されている。このため、球受部２５０の前壁２５１の後方には弾性的に撓みやくす、球受部２５０の前壁２５１の前方には撓み難くなる。
すなわち、ガラス扉５０が閉じられかつ同ガラス扉５０のガラス扉側通路筒２４１の下側に押圧されることによって、球こぼれ防止シート２８０が円滑に弾性変形して撓む。このため、球こぼれ防止シート２８０が固定手段から不測に外れたり、あるいは、ガラス扉５０のガラス扉側通路筒２４１によって損傷されることを防止することができ、耐久性に優れる。
また、弾性を有する合成樹脂シート材によって球こぼれ防止シート２８０を容易にかつ安価に形成することができる。
【００６０】
［この発明の他の実施例について］
なお、この発明は前記実施例に限定するものではない。
例えば、前記実施例においては、球受部２５０の前壁２５１の後側に球こぼれ防止シート２８０が装着される場合を例示したが、前壁２５１の前側に球こぼれ防止シート２８０を装着してもこの発明を実施することができる。
また、前記実施例においては、球こぼれ防止シート２８０が略均一な板厚の軟質の合成樹脂シートによって形成される場合を例示したが、図２７〜図２９に示すように、球こぼれ防止シート３８０を硬質の合成樹脂材によって形成するとともに、その所定高さ位置（前壁２５１に球こぼれ防止シート２８０が取り付けられた状態において、前壁２５１の上端位置よりも低い位置が望ましい）に薄肉状の弾性変形部２８０ａを形成し、その弾性変形部２８０ａにおいて撓み易い構造にしてもよい。例えば、球こぼれ防止シート２８０をポリプロピレン樹脂によって一体成形する。
この場合、前壁２５１に球こぼれ防止シート２８０が取り付けられた状態において、球こぼれ防止シート２８０が球こぼれ防止姿勢にある状態で前側に撓むことを防止するため、前壁２５１の上端位置よりも低い位置に薄肉状の弾性変形部２８０ａを形成することが望ましい。このように構成することにより、ポリプロピレン樹脂のような撓みにくい硬質シートを使用することが可能となる。そして、球受部２５０に放出される球Ｂの荷重によって球こぼれ防止シート２８０が前方に向けて変形されることを一層軽減することができる。
また、球こぼれ防止シート２８０を耐疲労性に優れるポリプロピレン樹脂で形成することにより、薄肉状の弾性変形部２８０ａが破断することなく長期間にわたって良好に使用することができる。
【００６１】
また、前記実施例においては、本体側通路（本体側通路筒２３２）を、本体枠２０側に設けられた通路構成部材（上皿用連絡路２３０の球貯留部２２２）２２０と、遊技盤８０の基板ボックス装着台１００に形成された本体側通路筒２３２によって構成された場合を例示したが、本体側通路を形成する通路筒を本体枠２０側に対してのみ形成することによってもこの発明を実施することができる。
また、前記実施例においては、前枠２１、遊技盤装着枠２２及び機構装着体２３を合成樹脂材によって一体成形することで本体枠２０が構成される場合を例示したが、遊技機本体としての前枠２１と別体に遊技盤装着枠２２及び機構装着体（裏機構板）２３を形成して、前枠２１に対し遊技盤装着枠２２及び機構装着体（裏機構板）２３を取り付けた構造であってもこの発明を実施することができる。
【００６２】
また、前記実施例においては、上皿６３が開閉体としてのガラス扉５０に装着された場合を例示したが、ガラス扉５０とは別にガラス扉５０の下側に、上皿６３が設けられた前板がヒンジ機構によって開閉可能に装着される形式の遊技機であってもこの発明を実施することができる。但し、この場合、前板が開閉体に相当する。
また、前記実施例においては、スピーカボックス２５の上壁部によって球受部２５０の球受け面２５０ａが形成され、スピーカ装着体４０上縁張出部によって球受部２５０の前壁２５１が構成された場合を例示したが、スピーカボックス２５やスピーカ装着板４０がない形式の遊技機であってもこの発明を実施することができる。
【図面の簡単な説明】
【００６３】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機を斜め右上前方から示す斜視図である。
【図４】同じく遊技機の後側全体を示す背面図である。
【図５】同じく遊技機の本体枠の後側に各種部材が組み付けられた状態を斜め左下後方から示す斜視図である。
【図６】同じく遊技機の本体枠と遊技盤とを分離して示す斜視図である。
【図７】同じく遊技盤の後側下部の基板ボックス装着台に副制御基板ボックスと主制御基板ボックスとが装着された状態を示す側断面図である。
【図８】同じく基板ボックス装着台と副制御基板ボックス及び主制御基板ボックスが分離された状態を後方から示す斜視図である。
【図９】同じく基板ボックス装着台を前側から示す斜視図である。
【図１０】同じく基板ボックス装着台と仕切板とが分離された状態を前側から示す斜視図である。
【図１１】同じく基板ボックス装着台に対し仕切板がその一端の係止突片と他端の弾性係止片によって装着された状態を示す平断面図である。
【図１２】同じく仕切板の弾性係止片が基板ボックス装着台の係止部に係合された状態を後側から示す背面図である。
【図１３】同じく仕切板の弾性係止片を示す斜視図である。
【図１４】同じく本体枠の遊技盤装着枠の後下隅部に設けられた回路基板装着部に対しカバー体が取り外された状態を示す斜視図である。
【図１５】同じく回路基板装着部、回路基板及びカバー体が分離された状態を後方から示す斜視図である。
【図１６】同じく回路基板装着部、回路基板及びカバー体が分離された状態を前方から示す斜視図である。
【図１７】同じく回路基板装着部に回路基板が装着されカバー体によって覆われた状態を示す側断面図である。
【図１８】同じく球払出装置と上皿及び下皿を連通する通路構成部材を破断して後方から示す説明図である。
【図１９】同じく本体枠の前側に開口したスピーカボックスに対しスピーカが取り外された状態を示す斜視図である。
【図２０】同じく球払出装置と上皿を連通する上皿用連絡路を示す側断面図である。
【図２１】同じく上皿用連絡路の本体側通路の出口の近傍に設けられた球受部と球こぼれ防止シートを示す斜視図である。
【図２２】同じく上皿用連絡路の本体側通路の出口の近傍に設けられた球受部と下皿誘導路の関係を示す正断面図である。
【図２３】同じくスピーカ装着部材の上縁張出部を球受部の前壁として球こぼれ防止シートが装着された状態を示す斜視図である。
【図２４】同じく球受部の前壁に球こぼれ防止シートが装着された状態を示す平断面図である。
【図２５】同じく球受部の前壁に球こぼれ防止シートが装着された状態を示す側断面図である。
【図２６】同じく球受部の前壁に対し球こぼれ防止シートが分離された状態を示す斜視図である。
【図２７】球こぼれ防止シートに薄肉状の弾性変形部を形成したの変更例を示すもので球受部の前壁に装着された球こぼれ防止シートが球こぼれ防止姿勢に起立した状態を示す断面図である。
【図２８】同じく球こぼれ防止シートが薄肉状の弾性変形部において変形された状態を示す断面図である。
【図２９】同じく球こぼれ防止シートを示す斜視図である。
【符号の説明】
【００６４】
１０  外枠
２０  本体枠（遊技機本体）
５０  ガラス扉（開閉体）
２１７  球払出装置
２２０  通路構成部材
２２１  球払出通路
２３０  上皿用連絡路
２３１  本体側通路
２３２  本体側通路筒
２４０  ガラス扉側通路
２４１  ガラス扉側通路筒
２５０  球受部
２５０ａ  球受面
２８０  球こぼれ防止シート
【図１】
2006087562.tif 000003
【図２】
2006087562.tif 000004
【図３】
2006087562.tif 000005
【図４】
2006087562.tif 000006
【図５】
2006087562.tif 000007
【図６】
2006087562.tif 000008
【図７】
2006087562.tif 000009
【図８】
2006087562.tif 000010
【図９】
2006087562.tif 000011
【図１０】
2006087562.tif 000012
【図１１】
2006087562.tif 000013
【図１２】
2006087562.tif 000014
【図１３】
2006087562.tif 000015
【図１４】
2006087562.tif 000016
【図１５】
2006087562.tif 000017
【図１６】
2006087562.tif 000018
【図１７】
2006087562.tif 000019
【図１８】
2006087562.tif 000020
【図１９】
2006087562.tif 000021
【図２０】
2006087562.tif 000022
【図２１】
2006087562.tif 000023
【図２２】
2006087562.tif 000024
【図２３】
2006087562.tif 000025
【図２４】
2006087562.tif 000026
【図２５】
2006087562.tif 000027
【図２６】
2006087562.tif 000028
【図２７】
2006087562.tif 000029
【図２８】
2006087562.tif 000030
【図２９】
2006087562.tif 000031